(57)【要約】配線を内部に収納することによって、それぞれの駐車スペースまで配線を敷設することができるとともに、駐車場に容易に配設することができる安全柵を提供することである。  安全柵１は、２つの脚部２と、筒状部３とを有する。２つの脚部２は、車幅方向に沿って地面に形成された２つの穴にそれぞれ挿入される。筒状部３は、２つの脚部２に両端がそれぞれ接続された略逆Ｕ字状に形成される。この筒状部３は、配線を内部に収納する。車幅方向における筒状部３の両側には、配線を外部に露出させる２つの開口部がそれぞれ形成される。
2012169040.tif 000002
【特許請求の範囲】
【請求項１】
駐車場に配設される安全柵において、
車幅方向に沿って地面に形成された２つの穴にそれぞれ挿入された２つの脚部と、
配線を内部に収納するとともに、前記２つの脚部に両端がそれぞれ接続された略逆Ｕ字状の筒状部と、
前記車幅方向における前記筒状部の両側にそれぞれ形成されるとともに、前記配線を外部に露出させる２つの開口部と
を有することを特徴とする安全柵。
【請求項２】
前記筒状部に取り付けられた箱体をさらに有し、
前記箱体は、一方の前記開口部と連通するとともに、前記車幅方向に沿って隣接して配設された他の前記安全柵における他方の前記開口部と連通することを特徴とする請求項１に記載された安全柵。
【請求項３】
前記筒状部は、
一方の前記開口部が形成された略Ｌ字状の第１の筒状部材と、
他方の前記開口部が形成された略Ｌ字状の第２の筒状部材と、
前記第１の筒状部材および前記第２の筒状部材を連結する筒状の連結部材と
を有することを特徴とする請求項１または２に記載された安全柵。
【発明の詳細な説明】
【技術分野】
【０００１】
本発明は、駐車場に配設される安全柵に関する。
【背景技術】
【０００２】
特許文献１には、駐車場に配設された安全柵としての角筒状の車止めが開示されている。この車止めは、側面を地面に当接させるようにして駐車スペースごとに配設され、側面の一部に自動車のタイヤが当接する。車止めのそれぞれは、様々な形状の部材を用いて互いに接続することによって一体化される。また、車止めは、駐車料金を精算するための精算機と、精算前における自動車の走行を規制するためのフラップとの間の配線を内部に収納している。これによって、車止めと、配線を収納するための管とを別々に配設する場合と比較して工事の期間を短縮することができるとともに、工事のコストを低減させることができる。【０００３】
ところで、近年では、電気自動車の車載電池に対して電力を供給して充電を行うための充電装置を駐車スペースごとに設置するために、特許文献１に記載されたフラップ式の駐車場以外であってもそれぞれの駐車スペースまで電源ケーブルなどの配線を敷設したいという要望が高まっている。
【先行技術文献】
【特許文献】
【０００４】
【特許文献１】特開２００２−２１３６６号公報
【発明の概要】
【発明が解決しようとする課題】
【０００５】
しかしながら、特許文献１に記載された車止めは、複数の車止めを一体化した後、車止めのそれぞれを複数のブラケットによって地面に固定しているので、車止めを配設するのに手間がかかるという問題がある。【０００６】
本発明の目的は、配線を内部に収納することによって、それぞれの駐車スペースまで敷設することができるとともに、駐車場に容易に配設することができる安全柵を提供することである。
【課題を解決するための手段】
【０００７】
かかる課題を解決すべく、本発明は、２つの脚部と、略逆Ｕ字状の筒状部と、２つの開口部とを有し、駐車場に配設される安全柵を提供する。２つの脚部は、車幅方向に沿って地面に形成された２つの穴にそれぞれ挿入される。筒状部は、配線を内部に収納するとともに、２つの脚部に両端がそれぞれ接続される。２つの開口部は、車幅方向における筒状部の両側にそれぞれ形成されるとともに、配線を外部に露出させる。【０００８】
ここで、本発明において、筒状部に取り付けられた箱体をさらに有することが好ましい。この際、箱体は、一方の開口部と連通するとともに、車幅方向に沿って隣接して配設された他の安全柵における他方の開口部と連通することが好ましい。また、筒状部は、一方の開口部が形成された略Ｌ字状の第１の筒状部材と、他方の開口部が形成された略Ｌ字状の第２の筒状部材と、第１の筒状部材および第２の筒状部材を連結する筒状の連結部材とを有することが好ましい。
【発明の効果】
【０００９】
本発明によれば、地面に形成された２つの穴に２つの脚部をそれぞれ挿入するだけで安全柵を地面に固定することができる。したがって、安全柵を駐車場に容易に配設することができる。また、筒状部は、配線を内部に収納し、車幅方向における筒状部の両側には、２つの開口部がそれぞれ形成されるので、複数の安全柵を車幅方向に沿って隣接して配設することによって、それぞれの駐車スペースまで配線を敷設することができる。具体的には、安全柵の内部に収納された配線は、この安全柵における一方の開口部から引き出され、車幅方向に沿って隣接して配設された他の安全柵における他方の開口部に引き込まれる。したがって、安全柵と、配線を収納するための管とを別々に配設する場合と比較して工事の期間を短縮することができるとともに、工事のコストを低減させることができる。
【図面の簡単な説明】
【００１０】
【図１】電気自動車の正面側から安全柵を見た模式図
【図２】電気自動車の上面側から安全柵を見た模式図
【図３】安全柵を分解した部品図
【図４】箱体の近傍部分を拡大した斜視図
【発明を実施するための形態】
【００１１】
図１は、電気自動車の正面側から安全柵を見た模式図である。図２は、電気自動車の上面側から安全柵を見た模式図である。安全柵１は、駐車場Ｐに配設される。具体的には、複数の安全柵１を電気自動車ＥＶの車幅方向に沿って隣接して配設する。安全柵１は、２つの脚部２と、筒状部３とを有する。２つの脚部２は、車幅方向に沿って地面に形成された２つの穴にそれぞれ挿入される。筒状部３は、２つの脚部２に両端がそれぞれ接続された略逆Ｕ字状に形成される。また、それぞれの安全柵１の間には、箱体４が取り付けられる。この箱体４の上面には、充電装置５が設置される。この充電装置５は、電気自動車ＥＶにケーブル（図示略）を介して接続し、電気自動車ＥＶの車載電池に電力を供給することによって充電を行う。
【００１２】
図３は、安全柵１を分解した部品図である。安全柵１は、第１の筒状部材６と、第２の筒状部材７と、第１の筒状部材６および第２の筒状部材７を連結する筒状の連結部材８とを組み立てることによって形成される。第１の筒状部材６および第２の筒状部材７は、略矩形状の断面を有し、全体として略Ｌ字状に形成される。また、第１の筒状部材６および第２の筒状部材７は、脚部２と、筒状部３とを一体化した部材であり、脚部２および筒状部３は、フランジ状の仕切り部６１，７１によって区画される。この仕切り部６１，７１は、脚部２を地面に挿入した場合に、筒状部３が地面に埋没するのを防止するためのストッパとして機能する。第１の筒状部材６の筒状部３には、箱体４が予め溶接されている。連結部材８は、第１の筒状部材６の外径よりも大きい内径を有し、第１の筒状部材６と嵌合する。また、連結部材８は、第２の筒状部材７の外径よりも大きい内径を有し、第２の筒状部材７と嵌合する。この連結部材８は、軸方向における長さを調整することによって、安全柵１の車幅方向における長さを調整することができる。したがって、車幅方向において様々な幅を有する駐車スペースに対して安全柵１を配設することができる。なお、本実施形態では、第１の筒状部材６と、第２の筒状部材７と、連結部材８とは、溶接によって一体化する。
【００１３】
図４は、箱体４の近傍部分を拡大した斜視図である。図４では、電気自動車ＥＶの正面側から見て左側に配設された安全柵１を分解して示している。筒状部３は、配線９を内部に収納する。車幅方向における筒状部３の両側には、配線９を外部に露出させる２つの開口部６２，７２がそれぞれ形成される。具体的には、一方の開口部６２は、第１の筒状部材６に形成される。他方の開口部７２は、第２の筒状部材７に形成される。
【００１４】
箱体４は、開閉扉４１と、２つの板状部４２とを有する。開閉扉４１は、電気自動車ＥＶの正面側から見て手前に開く扉である。２つの板状部４２は、矩形板状に形成され、開閉扉４１の下方側と、開閉扉４１とは反対側の面の下方側とにそれぞれ設けられる。ここで、それぞれの板状部４２における下端の位置は、仕切り部６１，７１における下面の位置と略同一の高さに設定される。これによって、板状部４２は、安全柵１を配設したときに地面と当接するとともに、箱体４を支持することができる。また、箱体４には、一方の開口部６２と連通する穴４３Ａと、車幅方向に沿って隣接して配設された他の安全柵１における他方の開口部７２と連通する穴４３Ｂとがそれぞれ形成される。安全柵１の内部に収納された配線９は、一方の開口部６２から引き出され、箱体４の内部に穴４３Ａを介して引き込まれる。箱体４の内部に引き込まれた配線９は、穴４３Ｂから引き出され、他の安全柵１の内部に他方の開口部７２を介して引き込まれる。さらに、箱体４には、充電装置５に電源を供給するために分岐された配線９を引き出すための穴４４が開閉扉４１とは反対側の面に形成されている。ここで、開閉扉４１を開くことによって、箱体４の内部に収納された配線９を露出させることができる。したがって、配線９をさらに分岐させるなどの拡張を容易に行うことができる。
【００１５】
このように、本実施形態によれば、地面に形成された２つの穴に２つの脚部２をそれぞれ挿入するだけで安全柵１を地面に固定することができる。したがって、安全柵１を駐車場Ｐに容易に配設することができる。また、筒状部３は、配線９を内部に収納し、車幅方向における筒状部３の両側には、２つの開口部６２，７２がそれぞれ形成されるので、複数の安全柵１を車幅方向に沿って隣接して配設することによって、それぞれの駐車スペースまで配線９を敷設することができる。したがって、安全柵と、配線を収納するための管とを別々に配設する場合と比較して工事の期間を短縮することができるとともに、工事のコストを低減させることができる。
【００１６】
なお、上述した実施形態では、安全柵１は、筒状部３に取り付けられた箱体４を有していた。これに対して、例えば、箱体４に代えて配線９を覆うカバーなどを筒状部３に取り付けてもよい。また、安全柵１は、箱体４を有していなくてもよい。この場合には、配線９は、安全柵１を互いに当接させた状態で配設して開口部６２，７２を近接させることによって通してもよく、安全柵１の外部を通してもよい。
【００１７】
また、上述した実施形態では、第１の筒状部材６および第２の筒状部材７は、脚部２と、筒状部３とを一体化した部材としていた。これに対して、脚部と、筒状部とは、別々の部材で構成されていてもよい。さらに、上述した実施形態では、安全柵１は、第１の筒状部材６と、第２の筒状部材７と、連結部材８とを組み立てることによって形成されていた。これに対して、例えば、１つの筒状部材の両端を折り曲げることによって、筒状部と、脚部とを一体的に形成してもよい。要するに、安全柵は、筒状部と、脚部とを有していればよい。
【産業上の利用可能性】
【００１８】
以上のように、本発明は、駐車場に配設される安全柵に広く適用できる。
【符号の説明】
【００１９】
１  安全柵
２  脚部
３  筒状部
４  箱体
５  充電装置
６  第１の筒状部材
７  第２の筒状部材
８  連結部材
９  配線
４１  開閉扉
４２  板状部
４３Ａ  穴
４３Ｂ  穴
４４  穴
６１，７１  仕切り部
６２，７２  開口部
ＥＶ  電気自動車
Ｐ  駐車場
【図１】
2012169040.tif 000003
【図２】
2012169040.tif 000004
【図３】
2012169040.tif 000005
【図４】
2012169040.tif 000006
【国際調査報告】
2012169040.tif 000007
2012169040.tif 000008